(57)【要約】【課題】  簡易型カラオケ装置の提供。【解決手段】  信号処理器、サウンドエンコーダデコーダ、ハードディスク及び通信インタフェースで構成され、ハードディスクが数千から数万曲のＭＰ３音楽ファイルと字幕ファイルを保存でき、該通信インタフェースがインターネットに接続可能とされ、信号処理器が外部のＤＶＤ或いはＶＣＤ等オーディオビデオ再生機器と接続され、該再生機器内のディスクに保存された画像を背景として、インターネットを経由して希望する楽曲をハードディスクにダウンロードでき、コストダウンの機能を達成する。【選択図】        図１
0003106789.tif 000002
【実用新案登録請求の範囲】
【請求項１】
信号処理器、ハードディスク、通信インタフェース、制御信号インタフェース、サウンドエンコーダデコーダ、ビデオ入力ポート、ビデオ出力ポート及びキーが組み合わされてなる簡易型カラオケ装置において、
該信号処理器は、内部回路を制御し、ビデオ信号を出力し、音楽文字等の信号を検索伝送し、
該キーは、該信号処理器に接続されて制御信号入力に用いられ、信号処理器に制御動作を行なわせ、
該通信インタフェースは、信号処理器に接続され、該通信インタフェースはパーソナルコンピュータに接続され、該パーソナルコンピュータはインターネットに接続可能で、該通信インタフェースによりＭＰ３、ＷＭＡ、ＡＡＣ或いはＡＴＲＡＣ３等の形式の音楽及び歌詞字幕信号をダウンロードし、
該ハードディスクは、信号処理器に接続され、該ハードディスクはＭＰ３、ＷＭＡ、ＡＡＣ或いはＡＴＲＡＣ３等の形式の音楽ファイルと字幕ファイルを保存し、
該サウンドエンコーダデコーダは、信号処理器に接続され、該サウンドエンコーダデコーダにスピーカ及びマイクロホンが接続され、ハードディスク中より放送したい楽曲を読み取ってデコード後に、更にマイクロホンより入力される使用者の音声信号と混合してスピーカより放送し、
該ビデオ出力ポートは、信号処理器に接続され、該ビデオ出力ポートは外部テレビジョン受像機に接続可能で、信号処理器が該ビデオ出力ポートによりビデオ信号をテレビジョン受像機に伝送するのに供され、該テレビジョン受像機に背景、楽曲名称及び歌詞を表示させ、
該ビデオ入力ポートは、信号処理器に接続され、該ビデオ入力ポートは外部オーディオビデオ再生機器に接続可能で、前述の信号処理器が該ビデオ入力ポートにより外部オーディオビデオ再生機器内部のディスクのビデオファイルを読み取り、
以上を特徴とする、簡易型カラオケ装置。
【請求項２】
請求項１記載の簡易型カラオケ装置において、信号処理器が制御信号インタフェースに接続され、該制御信号インタフェースが受信器に接続され、該受信器がリモートコントローラー及び無線マイクロホンの発射する信号を受信できることを特徴とする、簡易型カラオケ装置。
【請求項３】
請求項１記載の簡易型カラオケ装置において、通信インタフェースが直接インターネットよりＭＰ３、ＷＭＡ、ＡＡＣ或いはＡＴＲＡＣ３形式の音楽及び歌詞字幕信号をダウンロードできることを特徴とする、簡易型カラオケ装置。
【請求項４】
請求項１記載の簡易型カラオケ装置において、ハードディスクがＭＰＥＧ４形式のカラオケオーディオビデオファイルを保存できることを特徴とする、簡易型カラオケ装置。
【請求項５】
請求項１記載の簡易型カラオケ装置において、ハードディスクがＶＣＤ形式のカラオケオーディオビデオファイルを保存できることを特徴とする、簡易型カラオケ装置。
【請求項６】
請求項１記載の簡易型カラオケ装置において、ハードディスクがＤＶＤ形式のカラオケオーディオビデオファイルを保存できることを特徴とする、簡易型カラオケ装置。
【考案の詳細な説明】
【技術分野】
【０００１】
本考案は一種の簡易型カラオケ装置に係り、特にオーディオビデオ再生機器を外接でき、製品コストを下げたカラオケ装置に関する。
【背景技術】
【０００２】
カラオケ文化のアジアにおける発展は日本と較べても遜色なく、すでに台湾でも国の文化となっており、休日にはＫＴＶが繁盛し、街角では家庭でカラオケ装置を使用した歌声が聞こえ、カラオケはすでに楽で疲れないレジャーとなっている。
【０００３】
周知のカラオケ装置は、内蔵式オーディオビデオ再生機器、ＣＰＵ、音声デコーダ、リモートコントローラー、及び複数の歌詞メモリカード及びディスクを具え、該歌詞メモリカード内に数千から数万曲の音楽ファイルと歌詞ファイルが保存されてい。周知のカラオケ装置は、テレビジョン受像機、スピーカ及びマイクロホンと接続される。使用者は楽曲目録より歌いたい楽曲の楽曲コードを選択してリモートコントローラーでこの楽曲コードを入力し、ＣＰＵが該楽曲コードにより歌詞メモリカードより対応する楽曲の音楽ファイルと歌詞ファイルを探し出し、更に音楽ファイルを音声デコーダで変換して音声周波信号となして使用者がマイクロホンより入力する歌声信号と混合し、スピーカより放送し、またＣＰＵが下す命令により、オーディオビデオ再生機器がディスク中のビデオデータを読み取り、ビデオデータ中に歌詞ファイルを挿入後、テレビジョンスクリーンにより放送し、該ビデオデータをＭＴＶ（Ｍｕｓｉｃ  Ｔｅｌｅｖｉｓｉｏｎ）音楽背景となし、並びに同時にスクリーン上に歌詞を表示する。
【０００４】
周知のカラオケ装置に新たな楽曲を加える時は、メーカーに通知して新しい楽曲の歌詞メモリカードを取り付けるか或いはメモリカードを更新しなければならず、このような方式はメーカーと使用者のいずれにとっても相当に不便であり、且つコストが増し、市場での競争力が下がる。
【０００５】
さらに、周知のカラオケ装置はいずれもオーディオビデオ再生装置が内蔵され、現在一般家庭ではすでにＤＶＤ或いはＶＣＤオーディオビデオ再生機器を所有しているため、更に一台のカラオケ装置を購入すると、２台のＤＶＤ或いはＶＣＤオーディオビデオ再生機器を所有することになり、先に所有していたオーディオビデオ再生機器が無駄になり、金銭及び物質上の浪費を形成する。
【考案の開示】
【考案が解決しようとする課題】
【０００６】
本考案の主要な目的は、オーディオビデオ再生機器に外接でき、製品コストを下げることができるカラオケ装置を提供することにある。
【課題を解決するための手段】
【０００７】
請求項１の考案は、信号処理器、ハードディスク、通信インタフェース、制御信号インタフェース、サウンドエンコーダデコーダ、ビデオ入力ポート、ビデオ出力ポート及びキーが組み合わされてなる簡易型カラオケ装置において、
該信号処理器は、内部回路を制御し、ビデオ信号を出力し、音楽文字等の信号を検索伝送し、
該キーは、該信号処理器に接続されて制御信号入力に用いられ、信号処理器に制御動作を行なわせ、
該通信インタフェースは、信号処理器に接続され、該通信インタフェースはパーソナルコンピュータに接続され、該パーソナルコンピュータはインターネットに接続可能で、該通信インタフェースによりＭＰ３、ＷＭＡ、ＡＡＣ或いはＡＴＲＡＣ３等の形式の音楽及び歌詞字幕信号をダウンロードし、
該ハードディスクは、信号処理器に接続され、該ハードディスクはＭＰ３、ＷＭＡ、ＡＡＣ或いはＡＴＲＡＣ３等の形式の音楽ファイルと字幕ファイルを保存し、
該サウンドエンコーダデコーダは、信号処理器に接続され、該サウンドエンコーダデコーダにスピーカ及びマイクロホンが接続され、ハードディスク中より放送したい楽曲を読み取ってデコード後に、更にマイクロホンより入力される使用者の音声信号と混合してスピーカより放送し、
該ビデオ出力ポートは、信号処理器に接続され、該ビデオ出力ポートは外部テレビジョン受像機に接続可能で、信号処理器が該ビデオ出力ポートによりビデオ信号をテレビジョン受像機に伝送するのに供され、該テレビジョン受像機に背景、楽曲名称及び歌詞を表示させ、
該ビデオ入力ポートは、信号処理器に接続され、該ビデオ入力ポートは外部オーディオビデオ再生機器に接続可能で、前述の信号処理器が該ビデオ入力ポートにより外部オーディオビデオ再生機器内部のディスクのビデオファイルを読み取り、
以上を特徴とする、簡易型カラオケ装置としている。
請求項２の考案は、請求項１記載の簡易型カラオケ装置において、信号処理器が制御信号インタフェースに接続され、該制御信号インタフェースが受信器に接続され、該受信器がリモートコントローラー及び無線マイクロホンの発射する信号を受信できることを特徴とする、簡易型カラオケ装置としている。
請求項３の考案は、請求項１記載の簡易型カラオケ装置において、通信インタフェースが直接インターネットよりＭＰ３、ＷＭＡ、ＡＡＣ或いはＡＴＲＡＣ３形式の音楽及び歌詞字幕信号をダウンロードできることを特徴とする、簡易型カラオケ装置としている。
請求項４の考案は、請求項１記載の簡易型カラオケ装置において、ハードディスクがＭＰＥＧ４形式のカラオケオーディオビデオファイルを保存できることを特徴とする、簡易型カラオケ装置としている。
請求項５の考案は、請求項１記載の簡易型カラオケ装置において、ハードディスクがＶＣＤ形式のカラオケオーディオビデオファイルを保存できることを特徴とする、簡易型カラオケ装置としている。
請求項６の考案は、請求項１記載の簡易型カラオケ装置において、ハードディスクがＤＶＤ形式のカラオケオーディオビデオファイルを保存できることを特徴とする、簡易型カラオケ装置としている。
【考案の効果】
【０００８】
本考案は、オーディオビデオ再生機器に外接でき、製品コストを下げることができるカラオケ装置を提供している。
【考案を実施するための最良の形態】
【０００９】
本考案は、信号処理器、サウンドエンコーダデコーダ、ハードディスク及び通信インタフェースで構成された簡易型カラオケ装置において、カラオケ装置内にハードディスクが設置され、該ハードディスクが信号処理器に接続され、該信号処理器が外部オーディオビデオ再生機器に接続可能とされ、且つ通信インタフェースがインターネットに接続可能とされている。
【００１０】
以上の構造により、本考案の簡易型カラオケ装置は、そのうちの信号処理器が外部オーディオビデオ再生機器に接続され、オーディオビデオ再生装置を内蔵する必要がなく、インターネットに接続して最新の楽曲或いは好みの楽曲をダウンロードでき、並びに該楽曲のファイルをハードディスクに保存でき、製造コストを減らし新たな楽曲の増加が容易である機能を達成する。
【実施例１】
【００１１】
図１に示されるように、本考案の簡易型カラオケ装置は、信号処理器１、ハードディスク２、通信インタフェース３、制御信号インタフェース４、サウンドエンコーダデコーダ５、ビデオ入力ポート６、ビデオ出力ポート７及びキー１１が組み合わされてなる。本考案の特徴は以下のとおりである。
【００１２】
信号処理器１は、内部回路を制御し、ビデオ信号を出力し、音楽文字等の信号を検索伝送する。
【００１３】
キー１１は、信号処理器１に接続されて制御信号入力に用いられて信号処理器１に制御動作を行なわせる。
【００１４】
ハードディスク２は、信号処理器１に接続され、該ハードディスク２はＭＰ３、ＷＭＡ、ＡＡＣ或いはＡＴＲＡＣ３等の形式の音楽ファイルと字幕ファイルを保存する。
【００１５】
通信インタフェース３は、信号処理器１に接続され、該通信インタフェース３は直接インターネット３１或いはパーソナルコンピュータ３０に接続され、該パーソナルコンピュータ３０はインターネット３１に接続可能で、並びに該通信インタフェース３によりＭＰ３、ＷＭＡ、ＡＡＣ或いはＡＴＲＡＣ３等の形式の音楽及び歌詞字幕信号をダウンロードする。
【００１６】
制御信号インタフェース４は、信号処理器１と受信器４０に接続され、該受信器４０はリモートコントローラー４１及び無線マイクロホン４２の発射する信号を受信できる。
【００１７】
サウンドエンコーダデコーダ５は、信号処理器１に接続され、該サウンドエンコーダデコーダ５にスピーカ５１及びマイクロホン５２が接続され、それはハードディスク２中より放送したい楽曲を読み取ってデコード後に、更にマイクロホンより入力される使用者の音声信号と混合してスピーカ５１より放送する。
【００１８】
ビデオ入力ポート６は、信号処理器１に接続され、該ビデオ入力ポート６は外部オーディオビデオ再生機器６０に接続され、前述の信号処理器１が該ビデオ入力ポート６により外部オーディオビデオ再生機器６０内部のディスクのビデオファイルを読み取る。
【００１９】
ビデオ出力ポート７は、信号処理器１に接続され、該ビデオ出力ポート７は外部テレビジョン受像機７０に接続され、信号処理器１が該ビデオ出力ポート７によりビデオ信号をテレビジョン受像機７０に伝送し、該テレビジョン受像機７０に背景、楽曲名称及び歌詞を表示させる。
【００２０】
上述の構造により、信号処理器がビデオ入力ポートにより外部オーディオビデオ再生機器内部のディスクのビデオデータを読み取り、またハードディスク４内に保存された音楽ファイルと字幕ファイルを読み取る。その後、字幕ファイルとビデオデータを合併し、ビデオ出力ポート７を通してテレビジョン受像機７０に伝送し放送し、また該恩ファ区ファイルをサウンドエンコーダデコーダ５でデコードして音声周波信号とした後、更にマイクロホンより入力された使用者の音声信号と混合してスピーカ５１より放送する。且つ該音声周波信号と使用者の音声信号はテレビジョン受像機５に内蔵されたスピーカを利用して放送することもできる。
【００２１】
図２、３、４に示されるように、本考案の簡易型カラオケ装置は、そのうちの信号処理器がそのプログラム制御フローにより運転し、並びにビデオ入力ポートと外部オーディオビデオ再生機器が接続され、これによりオーディオビデオ再生装置の内蔵の必要がなく、製造コストダウンの機能を達成する。
【００２２】
更に、本考案の簡易型カラオケ装置は、通信インタフェースによりインターネットから直接ＭＰ３、ＷＭＡ、ＡＡＣ或いはＡＴＲＡＣ３等の形式の音楽及び歌詞字幕信号をダウンロードして並びに信号処理器１に送りハードディスク２中に保存することができる。或いは、パーソナルコンピュータ３０を介してインターネット３１より音楽及び歌詞字幕信号をダウンロードし、パーソナルコンピュータ３０でデータ編集の後、更にパーソナルコンピュータ３０より本考案のハードディスク２中にダウンロードできる。これにより、使用者は単独で自分の好きな楽曲をダウンロードでき、且つ容易に新しい楽曲を増加でき、メーカーを通してメモリカードの更新を行なう必要がなく、メーカーにとっては相当多くのサービスコストを減らすことができる。
【００２３】
次に、ハードディスク２はＤＶＤ或いはＶＣＤ或いはＭＰＥＧ４形式のカラオケオーディオビデオファイルを保存でき、デコード後にテレビジョン受像機７０とスピーカに伝送してビデオとオーディオを放送でき、並びに歌声と混合して放送できる。
【００２４】
総合すると、本考案の簡易型カラオケ装置は製造コストを減らし新しい楽曲を増やしやすく、実用性と進歩性を有している。
【図面の簡単な説明】
【００２５】
【図１】本考案の回路ブロック図である。
【図２】本考案の制御プログラムフローチャートである。
【図３】本考案の制御プログラムフローチャートである。
【図４】本考案の制御プログラムフローチャートである。
【符号の説明】
【００２６】
１  信号処理器            ２  ハードディスク
３  通信インタフェース    ４  制御信号インタフェース
５  サウンドエンコーダデコーダ      ６  ビデオ入力ポート
７  ビデオ出力ポート                １１  キー
３０  パーソナルコンピュータ        ３１  インターネット
４０  受信器                        ４１  リモートコントローラー
４２  無線マイクロホン              ５１  スピーカ
５２  マイクロホン                  ６０  オーディオビデオ再生機器
７０  テレビジョン受像機
【図１】
0003106789.tif 000003
【図２】
0003106789.tif 000004
【図３】
0003106789.tif 000005
【図４】
0003106789.tif 000006